(57)【要約】【課題】設計及び製造が共通したユニットを組み合わせることにより、家の間取り等に対応でき、低コスト化を図ることができる電気接続箱を提供する。【解決手段】電気接続箱１０〜１３は、複数の電線５０を接続可能な接続部２３を内部に収容する本体２０と、本体２０の第１壁面に設けられる第１係合部２５と、本体２０の第２壁面に設けられ、第１係合部２５に対応する第２係合部２７と、本体２０の第３壁面に設けられ、接続部２３に向けて複数の電線５０を取付可能な第１開口２１と、本体２０の第４壁面に設けられ、接続部２３に向けて所定の付属部品４０Ａ〜４０Ｃを取付可能な第２開口２２と、を備える。【選択図】図１
2020061899.tif 000002
【特許請求の範囲】
【請求項１】
複数の電線を接続可能な接続部を内部に収容する本体と、
前記本体の第１壁面に設けられる第１係合部と、
前記本体の第２壁面に設けられ、前記第１係合部に対応する第２係合部と、
前記本体の第３壁面に設けられ、前記接続部に向けて前記複数の電線を取付可能な第１開口と、
前記本体の第４壁面に設けられ、前記接続部に向けて所定の付属部品を取付可能な第２開口と、を備えた、
電気接続箱。
【請求項２】
請求項１に記載の電気接続箱において、
前記第１係合部は、
前記第１壁面における前記第２開口側の端部から突出する突出部と、前記突出部から前記第１壁面に沿って延びる係止部と、を有し、
前記第２係合部は、
前記第２壁面における前記第２開口側の端部に設けられる前記係止部に対応した係止孔を有する、
電気接続箱。
【請求項３】
請求項１または請求項２に記載の電気接続箱であって、
前記第２開口を閉じることが可能な蓋部材を更に有する、
電気接続箱。
【請求項４】
請求項１〜請求項３の何れか一項に記載の電気接続箱において、
前記付属部品は、
一の前記本体に収容される前記接続部と、前記一の前記本体に対して前記第１係合部及び前記第２係合部のうちの少なくとも一方を介して組み付けられる他の前記本体に収容される前記接続部と、を電気的に接続可能なバスバである、
電気接続箱。
【請求項５】
請求項４に記載の電気接続箱において、
前記バスバは、
前記一の前記本体に収容される前記接続部、及び、前記他の前記本体に収容される前記接続部に対し、ネジ止めされる、
電気接続箱。
【請求項６】
請求項４に記載の電気接続箱において、
前記バスバは、
一の端部と他の端部とが当該バスバの厚み方向に折り曲げられた屈曲形状を有し、
前記接続部は、
前記バスバの一方の前記端部が圧入された状態で係合可能な端子部を有する、
電気接続箱。
【発明の詳細な説明】
【技術分野】
【０００１】
本発明は、電気接続箱に関する。
【背景技術】
【０００２】
近年、玄関や居間や寝室などの各部屋別にユニット化した部屋ユニットを住宅メーカーの工場で製造し、それらを施工現場で施主の希望や敷地形状に応じて組み付けることにより、一つの家屋が出来上がるような住宅工法が知られている。この種の住宅工法においては、各部屋ユニット別の配線も予め工場内で行われるようになっており、その配線によって屋内配線作業の簡素化を達成することができるようになっている。屋内配線作業の簡素化を達成するために、ジョイントボックスが用いられている。
【０００３】
例えば、特許文献１には、生産能力及び取り扱い性が向上し、製品完成後に誤配線が発見されても結線の修復が可能なジョイントボックスが記載されている。このジョイントボックスでは、複数の電線の先端側を結束部材で結束し、複数の電線をスペーサで所定間隔空けて保持するとともに突起部を各電線間に差し込む。そして、スペーサを結束部材に近づけて複数並べた状態の電線に強制的な曲げを生じさせ、その強制的な曲げを生じさせた状態でスペーサをジョイントボックスに係止している。
【先行技術文献】
【特許文献】
【０００４】
【特許文献１】特開２００４−９６９８３号公報
【発明の概要】
【発明が解決しようとする課題】
【０００５】
しかしながら、前述したような従来のジョイントボックス（電気接続箱）は、家の間取りに対応して、電線の本数や種類や接続形態が専用に設計されており、その都度設計して製造されているためコスト高を招くという問題があった。
【０００６】
本発明は、上述した事情に鑑みてなされたものであり、その目的は、設計及び製造が共通したユニットを組み合わせることにより、家の間取り等に対応でき、低コスト化を図ることができる電気接続箱を提供することにある。
【課題を解決するための手段】
【０００７】
前述した目的を達成するために、本発明に係る電気接続箱は、下記［１］〜［６］を特徴としている。
［１］
複数の電線を接続可能な接続部を内部に収容する本体と、
前記本体の第１壁面に設けられる第１係合部と、
前記本体の第２壁面に設けられ、前記第１係合部に対応する第２係合部と、
前記本体の第３壁面に設けられ、前記接続部に向けて前記複数の電線を取付可能な第１開口と、
前記本体の第４壁面に設けられ、前記接続部に向けて所定の付属部品を取付可能な第２開口と、を備えた、
電気接続箱であること。
［２］
上記［１］に記載の電気接続箱において、
前記第１係合部は、
前記第１壁面における前記第２開口側の端部から突出する突出部と、前記突出部から前記第１壁面に沿って延びる係止部と、を有し、
前記第２係合部は、
前記第２壁面における前記第２開口側の端部に設けられる前記係止部に対応した係止孔を有する、
電気接続箱であること。
［３］
上記［１］又は上記［２］に記載の電気接続箱であって、
前記第２開口を閉じることが可能な蓋部材を更に有する、
電気接続箱であること。
［４］
上記［１］〜上記［３］の何れか一つに記載の電気接続箱において、
前記付属部品は、
一の前記本体に収容される前記接続部と、前記一の前記本体に対して前記第１係合部及び前記第２係合部のうちの少なくとも一方を介して組み付けられる他の前記本体に収容される前記接続部と、を電気的に接続可能なバスバである、
電気接続箱であること。
［５］
上記［４］に記載の電気接続箱において、
前記バスバは、
前記一の前記本体に収容される前記接続部、及び、前記他の前記本体に収容される前記接続部に対し、ネジ止めされる、
電気接続箱であること。
［６］
上記［４］に記載の電気接続箱において、
前記バスバは、
一の端部と他の端部とが当該バスバの厚み方向に折り曲げられた屈曲形状を有し、
前記接続部は、
前記バスバの一方の前記端部が圧入された状態で係合可能な端子部を有する、
電気接続箱であること。
【０００８】
上記［１］の構成の電気接続箱によれば、本体の第３側面に設けられた第１開口から挿入された複数の電線は、本体に収容された接続部に接続される。本体の第１壁面には第１係合部が設けられ、第２壁面には第１係合部に対応する第２係合部が設けられている。このため、第１係合部と第２係合部とを互いに係合させることにより、複数の電線が挿入された電気接続箱を次々に連結させることができる。更に、本体の第４側面に設けられた第２開口を通じて、接続部に、必要に応じて付属部品を接続することも可能である。これにより、設計及び製造が共通したユニットを組み合わせることにより、家の間取り等に対応でき、低コスト化を図ることができる。
【０００９】
上記［２］の構成の電気接続箱によれば、本体の第１係合部は、第１壁面における第２開口側の端部に設けられる。また、第２係合部は、本体における第２開口側に設けられ、係止部に対応した係止孔を有する。このため、第１の電気接続箱の第１係合部を、隣接する第２の電気接続箱の第２係合部に挿入すると、第１係合部の係止部が第２係合部の係止孔に係止されるので、複数の電線が挿入された電気接続箱を次々に連結させることができる。これにより、設計及び製造が共通したユニットを組み合わせることにより、家の間取り等に対応でき、低コスト化を図ることができる。
【００１０】
上記［３］の構成の電気接続箱によれば、第２開口には蓋部材が設けられている。このため、次々に連結される電気接続箱の第２開口を蓋部材で塞ぐことができ、埃等の侵入を防止することができる。
【００１１】
上記［４］の構成の電気接続箱によれば、本体内部において複数の電線が接続される接続部は、第１係合部及び第２係合部によって連結される他の本体内部の接続部と、バスバを介して接続される。これにより、連結されて隣り合う本体同士を電気的に接続することができる。
【００１２】
上記［５］の構成の電気接続箱によれば、バスバは、接続部と隣り合う他の本体の接続部に対してネジ止めされる。これにより、連結されて隣り合う本体同士を電気的に接続することができる。
【００１３】
上記［６］の構成の電気接続箱によれば、バスバは、両端部が厚み方向に折り曲げられた屈曲形状を有する。また、接続部は、バスバにおける一方の端部が圧入された状態で係合する端子部を有する。このため、連結して隣り合う本体の接続部の端子部に、バスバの折り曲げられた端部を係合させるだけで、隣り合う本体同士を容易に電気的に接続することができる。
【発明の効果】
【００１４】
本発明によれば、設計及び製造が共通したユニットを組み合わせることにより、家の間取り等に対応でき、低コスト化を図ることができる電気接続箱を提供できる。
【００１５】
以上、本発明について簡潔に説明した。更に、以下に説明される発明を実施するための形態（以下「実施形態」という。）を添付の図面を参照して通読することにより、本発明の詳細は更に明確化されるであろう。
【図面の簡単な説明】
【００１６】
【図１】図１（Ａ）は、第１実施形態に係る電気接続箱の全体斜視図であり、図１（Ｂ）は、図１（Ａ）におけるＢ−Ｂ位置の断面図である。
【図２】図２は、第１実施形態に係る電気接続箱を連結する状態を示す斜視図である。
【図３】図３は、第１実施形態に係る電気接続箱を３個連結して形成された連結電気接続箱の斜視図である。
【図４】図４は、第２実施形態に係る電気接続箱を３個連結して形成された連結電気接続箱の全体斜視図である。
【図５】図５は、第２実施形態に係る電気接続箱の蓋部材を外した連結電気接続箱の斜視図である。
【図６】図６（Ａ）は、図５中ＶＩ方向から見た連結電気接続箱の平面図であり、図６（Ｂ）は、図６（Ａ）における“Ｂ”部分の分解斜視図である。
【図７】図７は、第３実施形態に係る電気接続箱を２個連結して形成された連結電気接続箱の全体斜視図である。
【図８】図８（Ａ）は、第３実施形態に係る電気接続箱を２個連結して形成された連結電気接続箱においてバスバを取り付ける状態を示す斜視図であり、図８（Ｂ）は、端子部の斜視図であり、図８（Ｃ）はバスバの斜視図である。
【図９】図９は、第３実施形態に係る電気接続箱を２個連結して形成された連結電気接続箱においてバスバを取り付けた状態を示す斜視図である。
【図１０】図１０は、第４実施形態に係る電気接続箱を２個連結する状態を示す斜視図である。
【図１１】図１１は、第４実施形態に係る電気接続箱を２個連結して形成された連結電気接続箱の全体斜視図である。
【図１２】図１２（Ａ）は、接続部にコネクタを用いてベースプレートと接続する構成図であり、図１２（Ｂ）は、接続部にバスバを用いてベースプレートと接続する構成図である。
【図１３】図１３は、接続部にコネクタを用いた場合のわたり線とベースプレートとの接続を示す斜視図である。
【図１４】図１４（Ａ）は、接続部にバスバを用いた場合のバスバとベースプレートとの接続を示す斜視図であり、図１４（Ｂ）は図１４（Ａ）中Ｂ部分の拡大図である。
【発明を実施するための形態】
【００１７】
＜第１実施形態＞
以下、図面を参照しながら、本発明の第１実施形態に係る電気接続箱について説明する。図１（Ａ）は、第１実施形態に係る電気接続箱の全体斜視図であり、図１（Ｂ）は、図１（Ａ）におけるＢ−Ｂ位置の断面図である。図２は、第１実施形態に係る電気接続箱を連結する状態を示す斜視図である。図３は、第１実施形態に係る電気接続箱を３個連結して形成された連結電気接続箱の斜視図である。
【００１８】
図１（Ａ）に示すように、第１実施形態に係る電気接続箱１０は、例えば、樹脂製の矩形箱状の接続箱本体（本体）２０を有する。なお、以下の説明においては、図１中に示すように、上側を「上」、下側を「下」、手前側を「前」、奥側を「後」として説明する。また、「前」に向かって右側を「右」、左側を「左」とする。なお、図１においては、３個の電気接続箱１０を並べて表示しているが、いずれも電気接続箱１０に該当する。
【００１９】
接続箱本体２０は、下側に第１開口２１を有し、上側に第２開口２２を有する。したがって、接続箱本体２０は、ここでは断面矩形の筒状を呈しており、第１開口２１から接続箱本体２０の内部に複数本（ここでは例えば、３本）の電線５０が挿入可能となっている。図示はしないが、第１開口２１には、電線５０が挿通可能な貫通孔を有する底板を設けることができ、電線５０を貫通孔から接続箱本体２０内部に挿入してもよい。
【００２０】
接続箱本体２０の内部には、第２開口２２寄りの位置に、各電線５０が接続可能な接続部２３が収容されている。各電線５０と接続部２３との接続は、例えば、図１２（Ａ）に示すようにコネクタ２３１やスリーブ等の一般部材を用いて溶接により接続することができる。あるいは、図１２（Ｂ）に示すように、バスバ２３２等の専用部材を用いて接続することも可能である。このとき、バスバ２３２には、電線５０の芯線を圧入する圧入孔（図示省略）や、芯線に弾性変形可能なバネ状部材を押し付けることで芯線を保持するバネ部（図示省略）等を設けておく。このような接続構造については、より詳細に後述する。これにより、第１開口２１から挿入された電線５０の先端の導線が、接続部２３に接続される。
【００２１】
また、接続箱本体２０の左側面である第１壁面２４には、第２開口２２から左側へ突出する第１係合部２５が設けられている。第１係合部２５は、第１壁面２４における第２開口２２側の端部（上端部）に設けられ、第１壁面２４から離れる方向（左方向）に突出する突出部２５１と、この突出部２５１に接続されて接続箱本体２０の連通方向である上下方向に設けられた係止部２５２とを有する。係止部２５２の下端部には、右側に突出した第１引っ掛け部２５３が設けられている。
【００２２】
図１（Ｂ）にも示すように、接続箱本体２０の右側面である第２壁面２６には、隣接する電気接続箱１０の接続箱本体２０に設けられている第１係合部２５に対応する第２係合部２７が設けられている。第２係合部２７は、接続箱本体２０における第２開口２２側に設けられ、第１係合部２５の係止部２５２に対応した係止孔２７１を有する。係止孔２７１には、挿入された第１係合部２５の第１引っ掛け部２５３を係止するための係止爪２７２が設けられている。これにより、第２係合部２７の係止孔２７１に挿入された第１係合部２５が確実に係止され、連結された電気接続箱１０が分離するのを防止できる。
【００２３】
次いで、上記構成の電気接続箱１０を連結して連結電気接続箱１を形成する手順について説明する。なお、複数個の電気接続箱１０を用い、それぞれを区別する場合、電気接続箱１０１、電気接続箱１０２等で表示する場合もある。図２に示すように、連結する電気接続箱１０１の第１壁面２４と電気接続箱１０２の第２壁面２６とが面接触させ、かつ、電気接続箱１０１を電気接続箱１０２よりも上側に配置する。そして、電気接続箱１０１の第１係合部２５の係止部２５２を、電気接続箱１０２の第２係合部２７の係止孔２７１に挿入するように、電気接続箱１０１を相対的に下方へずらす（図２中矢印Ａ参照）。このとき、第１壁面２４と第２壁面２６とが面接触した状態で適正にスライドできるようにガイドする、レールや凹凸を設けておくこともできる。
【００２４】
これにより、係止孔２７１に挿入された係止部２５２の第１引っ掛け部２５３が、係止孔２７１の係止爪２７２（図１（Ｂ）参照）に係止され、電気接続箱１０１と電気接続箱１０２とが連結される。同様にして電気接続箱１０１が連結された電気接続箱１０２の左側に、さらに電気接続箱１０３を連結すると、連結電気接続箱１が完成する（図３参照）。
【００２５】
このように、電気接続箱１０１、１０２、１０３が連結されると、接続手段（図示省略）によって各電気接続箱１０１、１０２、１０３の接続部２３同士が電気的に接続されるようになっている。これにより、各電気接続箱１０１、１０２、１０３に挿入されて接続部２３に接続されている電線５０は、接続手段の接続形態に従って、電気的に接続される。
【００２６】
以上、説明したように、本実施形態に係る電気接続箱１０によれば、接続箱本体２０の第１開口２１から挿入された複数の電線５０は、接続箱本体２０の第２開口２２側に設けられた接続部２３に接続される。接続箱本体２０の第１壁面２４には第１係合部２５が設けられ、第２壁面２６には第１係合部２５に対応する第２係合部２７が設けられている。このため、第１係合部２５と第２係合部２７とを互いに係合させることにより、複数の電線５０が挿入された電気接続箱１０を次々に連結させることができる。これにより、設計及び製造が共通したユニットを組み合わせることにより、家の間取り等に対応でき、低コスト化を図ることができる。
【００２７】
更に、本実施形態に係る電気接続箱１０によれば、接続箱本体２０の第１係合部２５は、第１壁面２４における第２開口２２側の端部に設けられ、第１壁面２４から離れる方向に突出する突出部２５１と、突出部２５１に接続されて接続箱本体２０の連通方向に対して平行、かつ、第１開口２１側に延びる係止部２５２を有する。また、第２係合部２７は、接続箱本体２０における第２開口２２側に設けられ、第１係合部２５の係止部２５２に対応した係止孔２７１を有する。このため、第１の電気接続箱１０１の第１係合部２５を、隣接する第２の電気接続箱１０２の第２係合部２７に挿入すると、第１係合部２５の係止部２５２が第２係合部２７の係止爪２７２に係止されるので、複数の電線５０が挿入された電気接続箱１０を次々に連結させることができる。これにより、設計及び製造が共通したユニットを組み合わせることにより、家の間取り等に対応でき、低コスト化を図ることができる。
【００２８】
＜第２実施形態＞
以下、図面を参照しながら、本発明の第２実施形態に係る電気接続箱について説明する。図４は、第２実施形態に係る電気接続箱を３個連結して形成された連結電気接続箱の全体斜視図である。図５は、第２実施形態に係る電気接続箱の蓋部材を外した連結電気接続箱の斜視図である。図６（Ａ）は、図５中ＶＩ方向から見た連結電気接続箱の平面図であり、図６（Ｂ）は、図６（Ａ）における“Ｂ”部分の分解斜視図である。なお、前述した第１実施形態に係る電気接続箱１０と共通する部位には同じ符号を付して、重複する説明を省略することとする。
【００２９】
図４及び図５に示すように、第２実施形態に係る電気接続箱１１では、接続箱本体２０の前面３１及び後面３２が、第１壁面２４及び第２壁面２６よりも一段高く形成されており、上面２８１が前面３１及び後面３２の上端と略面一になるような蓋部材２８が設けられている。これにより、第２開口２２は、蓋部材２８で閉鎖可能となっている。
【００３０】
図５及び図６（Ａ）に示すように、第２開口２２には、隣り合う電気接続箱１１、例えば、電気接続箱１１１と電気接続箱１１２の接続部２３同士を接続可能なバスバ４０Ａが設けられている。ここでは、３本の電線５０が接続できるように、３列のバスバ４０Ａが設けられており、各列のバスバ４０Ａは、互いに電気的に絶縁される。また、電気接続箱１１２と電気接続箱１１３の間にも、同様に３列のバスバ４０Ａが設けられている。
【００３１】
図６（Ａ）及び図６（Ｂ）に示すように、バスバ４０Ａは、電気接続箱１１１に取り付けられているベースプレート４１と、隣接する電気接続箱１１２に取り付けられているベースプレート４２との間を接続するバスバ本体４３と、を有する。図１３に示すように、ベースプレート４１は、電気接続箱１１１の第２開口２２に取り付けられており、一対のねじ孔４１１、４１２が設けられている。また、ベースプレート４２は、電気接続箱１１２に取り付けられるものであり、電気接続箱１１２のバスバ４０Ａを構成する。
【００３２】
電線５０が接続される接続部２３とベースプレート４１との接続について説明する。図１３に示すように、接続部２３としてコネクタ２３１等を用いた場合（図１２（Ａ）参照）には、接続部２３とバスバ４０のベースプレート４１との接続は、わたり線２３３を用いて行う。すなわち、接続部２３にわたり線２３３を接続し、わたり線２３３の他端をベースプレート４１のねじ孔４１１に挿入して溶接により接続する。あるいは、ベースプレート４１にねじ孔４１１に代えて圧入孔（図示省略）を設けた場合には、わたり線２３３の他端をその圧入孔に圧入することで、わたり線２３３をベースプレート４１に接続できる。また、ベースプレート４１にねじ孔４１１に代えて弾性変形可能な片持ち梁状の接続片をわたり線２３３に向けて押し付ける構造を有するバネ部（図示省略）を設けた場合には、わたり線２３３の他端をそのバネ部に押し込むことで、わたり線２３３をベースプレート４１に接続できる。
【００３３】
また、図１４（Ａ）及び図１４（Ｂ）に示すように、接続部２３としてバスバ２３２を用いた場合（図１２（Ｂ）参照）には、バスバ２３２の一部２３５を上方に露出させておき、この上端部にベースプレート４１を装着する。具体的には、ベースプレート４１の端部を逆Ｕ字形状に屈曲させて挟持部２３６を設ける。挟持部２３６の内側には、バスバ２３２の一部２３５に向けて突出するリブ２３７を設ける。これにより、バスバ２３２の一部２３５をベースプレート４１の挟持部２３６に挿入することで、接続部２３とベースプレート４１とを接続することができる。更に、バスバ４０Ａの端部がバネ形状４８を有するように構成し、バスバ４０Ａをベースプレート４１の挟持部２３６に押し付けることにより、バスバ４０Ａとベースプレート４１とを接続することができる。
【００３４】
バスバ本体４３は、全体ハット形状を呈しており、両端にベースプレート４１、４２に取り付けられる取付片４３１を有しており、両取付片４３１を連結する屈曲形状を有するバスバ連結部４３２を有する。取付片４３１には、ビス４４用の貫通孔４３３が設けられている。
【００３５】
次いで、第２実施形態に係る電気接続箱１１の連結手順について説明する。まず、第１実施形態において説明したようにして、接続箱本体２０を連結する。このとき、バスバ４０Ａのベースプレート４１は、予め電気接続箱１１１の接続箱本体２０の第２開口２２に取り付けられて、接続部２３と電気的に接続されている。同様に、ベースプレート４２は、電気接続箱１１２の接続箱本体２０に取り付けられている。
【００３６】
次いで、バスバ本体４３の取付片４３１をベースプレート４１の上に載せ、ビス４４を取付片４３１の貫通孔４３３からベースプレート４１のねじ孔４１２にねじ込んでバスバ本体４３を固定する。ベースプレート４２についても同様にして、取付片４３１をビス４４で固定する。その後、第２開口２２に蓋部材２８を取り付けて、第２開口２２を閉じる。これにより、隣り合う電気接続箱１１１、１１２のベースプレート４１、４２をバスバ本体４３で接続することにより、連結された電気接続箱１１１、１１２の接続部２３同士が電気的に接続される。
【００３７】
以上、説明したように、本実施形態に係る電気接続箱１１によれば、前述した第１実施形態に係る電気接続箱１０と同様に、設計及び製造が共通したユニットを組み合わせることにより、家の間取り等に対応でき、低コスト化を図ることができる。
【００３８】
更に、本実施形態に係る電気接続箱１１によれば、第２開口２２に蓋部材２８が設けられている。このため、次々に連結される電気接続箱１１の第２開口２２を蓋部材２８で塞ぐことができ、埃等の侵入を防止することができる。
【００３９】
更に、本実施形態に係る電気接続箱１１によれば、接続箱本体２０の内部において複数の電線５０が接続される接続部２３は、第１係合部２５及び第２係合部２７によって連結される隣の接続箱本体２０の内部の接続部２３と、バスバ４０Ａを介して接続される。これにより、連結されて隣り合う電気接続箱１１同士を電気的に接続することができる。
【００４０】
更に、本実施形態に係る電気接続箱１１によれば、バスバ４０Ａは、連結されて隣り合う接続箱本体２０の第２開口２２においてビス４４により取り付けられる。これにより、連結されて隣り合う電気接続箱１１の接続部２３同士を容易に電気的に接続することができる。
【００４１】
＜第３実施形態＞
以下、図面を参照しながら、本発明の第３実施形態に係る電気接続箱について説明する。図７は、第３実施形態に係る電気接続箱を２個連結して形成された連結電気接続箱の全体斜視図である。図８（Ａ）は、第３実施形態に係る電気接続箱を２個連結して形成された連結電気接続箱においてバスバを取り付ける状態を示す斜視図であり、図８（Ｂ）は、端子部の斜視図であり、図８（Ｃ）はバスバの斜視図である。図９は、第３実施形態に係る電気接続箱を２個連結して形成された連結電気接続箱においてバスバを取り付けた状態を示す斜視図である。なお、前述した第１実施形態に係る電気接続箱１０及び第２実施形態にかかる電気接続箱１１と共通する部位には同じ符号を付して、重複する説明を省略することとする。
【００４２】
図７及び図８（Ａ）に示すように、第３実施形態に係る電気接続箱１２では、接続箱本体２０の前面３１及び後面３２が、第１壁面２４及び第２壁面２６よりも一段高く形成されており、上面２８１が前面３１及び後面３２の上端と略面一になるような蓋部材２８（図４参照）が取り付け可能になっている。また、第２開口２２には、接続部２３と電気的に接続された端子部３３が設けられている。ここでは、３本の電線５０が接続できるように、３列の端子部３３が取付けられており、各列の端子部３３は、互いに電気的に絶縁されている。
【００４３】
図８（Ｂ）に示すように、端子部３３は、一枚の板部材を屈曲させて形成することができ、一方の端部３３１と他方の端部３３２との間に他の部材を挟んで保持することができるようになっている。他方の端部３３２は、弾性復帰力により一方の端部３３１に押し付けられるように構成するのが望ましい。
【００４４】
図８（Ａ）及び図９に示すように、連結されて互いに隣り合う電気接続箱１２１、１２２の端子部３３間には、両端子部３３を電気的に接続するバスバ４０Ｂが設けられている。図８（Ｃ）に示すように、バスバ４０Ｂは、両端部が厚み方向に折り曲げられた屈曲形状を有しており、両端の差込部４５、４５と、両端の差込部４５、４５を連結する連結部４６とを有する。差込部４５は、端子部３３の一方の端部３３１と他方の端部３３２との間に挿入可能となっている。なお、連結部４６は、端子部３３に取り付けられた際に、併設されるバスバ４０Ｂの連結部４６と互いに電気的に絶縁されるようになっている。
【００４５】
次いで、第３実施形態に係る電気接続箱１２の連結手順について説明する。まず、第１実施形態において説明したようにして、接続箱本体２０を連結する（図７参照）。なお、端子部３３は、予め接続箱本体２０の第２開口２２に取り付けられており、電気接続箱１２を構成する要素の一つであって、接続部２３と電気的に接続されている。
【００４６】
次いで、バスバ４０Ｂの一方の差込部４５を、電気接続箱１２１の端子部３３に差し込むとともに、他方の差込部４５を、電気接続箱１２２の端子部３３に差し込む。その後、第２開口２２に蓋部材２８を取り付けて、第２開口２２を閉じる。これにより、隣り合う電気接続箱１２１、１２２の接続部２３同士が電気的に接続される。
【００４７】
以上、説明したように、本実施形態に係る電気接続箱１２によれば、前述した第１実施形態に係る電気接続箱１０と同様に、設計及び製造が共通したユニットを組み合わせることにより、家の間取り等に対応でき、低コスト化を図ることができる。
【００４８】
更に、本実施形態に係る電気接続箱１２によれば、接続箱本体２０の第２開口２２に、接続部２３と電気的に接続されている端子部３３が設けられている。また、バスバ４０Ｂは差込部４５が厚み方向に折り曲げられた屈曲形状を有している。このため、連結して隣り合う接続箱本体２０の端子部３３に、バスバ４０Ｂの折り曲げられた差込部４５を差し込んで係合させるだけで、隣り合う電気接続箱１２同士を容易に電気的に接続することができる。
【００４９】
＜第４実施形態＞
以下、図面を参照しながら、本発明の第４実施形態に係る電気接続箱について説明する。図１０は、第４実施形態に係る電気接続箱を２個連結する状態を示す斜視図である。図１１は、第４実施形態に係る電気接続箱を２個連結して形成された連結電気接続箱の全体斜視図である。なお、前述した第１実施形態に係る電気接続箱１０乃至第３実施形態にかかる電気接続箱１２と共通する部位には同じ符号を付して、重複する説明を省略することとする。
【００５０】
図１０に示すように、第４実施形態に係る電気接続箱１３では、接続箱本体２０の前面３１及び後面３２が、第１壁面２４及び第２壁面２６よりも一段高く形成されており、上面２８１が前面３１及び後面３２の上端と略面一になるような蓋部材２８（図４参照）が取り付け可能になっている。
【００５１】
また、第２開口２２には、接続部２３と電気的に接続されたバスバ４０Ｃが取り付けられている。バスバ４０Ｃは、一方の端部が第１壁面２４から突出するとともに下方に向かって厚み方向に折り曲げられた差込部（一方の端部）４５を有する全体Ｌ字形状を呈している。また、バスバ４０Ｃの他方の端部４７は、接続箱本体２０の第２開口２２に固定されている。
【００５２】
バスバ４０Ｃにおける差込部４５が係合する端子部３３が、バスバ４０Ｃの他方の端部４７に隣接して固定されている。端子部３３は、接続部２３と電気的に接続されている。なお、図１０及び図１１では、２個の電気接続箱１３１、１３２を連結する場合を例示しているので、電気接続箱１３１にはバスバ４０Ｃのみを表示するとともに、電気接続箱１３２には端子部３３のみを表示している。３個以上の電気接続箱１３を連結する際には、各電気接続箱１３の第２開口２２に、バスバ４０Ｃと端子部３３とを隣接して設ける。
【００５３】
次いで、第４実施形態に係る電気接続箱１３の連結手順について説明する。まず、第１実施形態において説明したようにして、接続箱本体２０を連結する（図７参照）。この際、電気接続箱１３１の第２開口２２に取り付けられているバスバ４０Ｃの差込部４５は、電気接続箱１３２側に突出しているので、第１係合部２５を第２係合部２７に差し込んで係合する際に、同時に差込部４５を電気接続箱１３２の端子部３３に差し込んで接続する（図１１参照）。
【００５４】
以上、説明したように、本実施形態に係る電気接続箱１３によれば、前述した第１実施形態に係る電気接続箱１０と同様に、設計及び製造が共通したユニットを組み合わせることにより、家の間取り等に対応でき、低コスト化を図ることができる。
【００５５】
更に、本実施形態に係る電気接続箱１３によれば、バスバ４０Ｃは、下方に向かって折り曲げられた差込部４５が、第１壁面２４から突出するとともに、他方の端部３３２が接続箱本体２０の第２開口２２に固定されている。また、バスバ４０Ｃの差込部４５が係合する端子部３３が、バスバ４０Ｃにおける他方の端部４７に隣接して接続箱本体２０の第２開口２２に固定されている。このため、電気接続箱１３１の第１係合部２５を、隣接する電気接続箱１３２の第２係合部２７に挿入して連結する際に、同時に電気接続箱１３１のバスバ４０Ｃの差込部４５を隣接する電気接続箱１３２の端子部３３に係合させる。これにより、隣り合う電気接続箱１３同士を容易に電気的に接続することができる。
【００５６】
＜他の態様＞
なお、本発明は上記各実施形態に限定されることはなく、本発明の範囲内において種々の変形例を採用できる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５７】
例えば、上記各実施形態では、矩形断面を有する接続箱本体２０を用いた場合について説明したが、この他、多角形断面や長円形状の断面を有する接続箱本体を用いることもできる。
【００５８】
また、上記各実施形態では、２個又は３個の電気接続箱１０、１１、１２、１３を連結する場合について説明したが、４個以上の電気接続箱を連結する場合にも同様に適用することができる。
【００５９】
ここで、上述した本発明に係る電気接続箱の実施形態の特徴をそれぞれ以下［１］〜［６］に簡潔に纏めて列記する。
［１］
複数の電線（５０）を接続可能な接続部（２３）を内部に収容する本体（２０）と、
前記本体（２０）の第１壁面に設けられる第１係合部（２５）と、
前記本体（２０）の第２壁面に設けられ、前記第１係合部（２５）に対応する第２係合部（２７）と、
前記本体（２０）の第３壁面に設けられ、前記接続部（２３）に向けて前記複数の電線（５０）を取付可能な第１開口（２１）と、
前記本体（２０）の第４壁面に設けられ、前記接続部（２３）に向けて所定の付属部品（４０Ａ〜４０Ｃ）を取付可能な第２開口（２２）と、を備えた、
電気接続箱（１０〜１３）。
［２］
上記［１］に記載の電気接続箱（１０〜１３）において、
前記第１係合部（２５）は、
前記第１壁面における前記第２開口（２２）側の端部から突出する突出部（２５１）と、前記突出部（２５１）から前記第１壁面に沿って延びる係止部（２５２）と、を有し、
前記第２係合部（２７）は、
前記第２壁面における前記第２開口（２２）側の端部に設けられる前記係止部（２５２）に対応した係止孔を有する、
電気接続箱（１０〜１３）。
［３］
上記［１］又は上記［２］に記載の電気接続箱（１０〜１３）であって、
前記第２開口（２２）を閉じることが可能な蓋部材（２８）を更に有する、
電気接続箱（１０〜１３）。
［４］
上記［１］〜上記［３］の何れか一つに記載の電気接続箱（１０〜１３）において、
前記付属部品（４０Ａ〜４０Ｃ）は、
一の前記本体（２０）に収容される前記接続部（２３）と、前記一の前記本体（２０）に対して前記第１係合部（２５）及び前記第２係合部（２７）のうちの少なくとも一方を介して組み付けられる他の前記本体（２０）に収容される前記接続部（２３）と、を電気的に接続可能なバスバ（４０Ａ〜４０Ｃ）である、
電気接続箱（１０〜１３）。
［５］
上記［４］に記載の電気接続箱（１０〜１３）において、
前記バスバ（４０Ａ〜４０Ｃ）は、
前記一の前記本体（２０）に収容される前記接続部（２３）、及び、前記他の前記本体（２０）に収容される前記接続部（２３）に対し、ネジ止めされる、
電気接続箱（１０〜１３）。
［６］
上記［４］に記載の電気接続箱（１０〜１３）において、
前記バスバ（４０Ａ〜４０Ｃ）は、
一の端部と他の端部とが当該バスバ（４０Ａ〜４０Ｃ）の厚み方向に折り曲げられた屈曲形状を有し、
前記接続部（２３）は、
前記バスバ（４０Ａ〜４０Ｃ）の一方の前記端部が圧入された状態で係合可能な端子部を有する、
電気接続箱（１０〜１３）。
【符号の説明】
【００６０】
１０、１１、１２、１３  電気接続箱
２０  接続箱本体（本体）
２１  第１開口
２２  第２開口
２３  接続部
２４  第１壁面
２５  第１係合部
２５１  突出部
２５２  係止部
２６  第２壁面
２７  第２係合部
２７１  係止孔
２８  蓋部材
３３  端子部
４０Ａ、４０Ｂ、４０Ｃ  バスバ（付属部品）
４４  ビス
４５  差込部（一方の端部）
４７  他方の端部
５０  電線
【図１】
2020061899.tif 000003
【図２】
2020061899.tif 000004
【図３】
2020061899.tif 000005
【図４】
2020061899.tif 000006
【図５】
2020061899.tif 000007
【図６】
2020061899.tif 000008
【図７】
2020061899.tif 000009
【図８】
2020061899.tif 000010
【図９】
2020061899.tif 000011
【図１０】
2020061899.tif 000012
【図１１】
2020061899.tif 000013
【図１２】
2020061899.tif 000014
【図１３】
2020061899.tif 000015
【図１４】
2020061899.tif 000016